(57)【要約】【課題】      密着性に優れた同軸ケーブルの提供。【解決手段】  同軸ケーブル１０は、中心導体１２と、絶縁被覆層１４と、シールド導体１６と、保護被覆層１８とを備えている。被覆層１４は、導体１２の外周を覆うように形成され、導体１２の外周を覆う環状部２０と、環状部２０ａから径外方向に、放射状に延びる３個の柱状部２２とを有している。シールド導体１６は、中空状の圧縮撚り線により形成されている。圧縮撚り線は、複数本の素線２６を一方向に撚り掛けながら圧縮ダイスを通過させることにより中空形状に形成される。この際に、素線２６は、外周の一部同士が塑性変形され、撚りが加えられるので、石垣状に密接触して安定した構造（アーチ構造）になる。一方、絶縁被覆層１４は、シールド導体１６との接触部分が、当該シールド導体１６の内面形状に沿って密着する変形部２８となっている。【選択図】    図１
2005276785.tif 000002
【特許請求の範囲】
【請求項１】
中心導体と、前記中心導体の外周を覆う絶縁被覆層と、前記絶縁被覆層の外周を覆うシールド導体とを備えた同軸ケーブルにおいて、
前記シールド導体は、複数の素線を前記絶縁被覆層の外周に沿って配置して、相互に接触する前記素線の外周の一部同士を塑性変形させて中空状に形成した圧縮撚り線で構成され、
前記絶縁被覆層は、前記シールド導体との接触部分を、当該シールド導体の内面形状に沿って密着、変形させることを特徴とする同軸ケーブル。
【請求項２】
前記シール導体の外周に保護被覆層を設けたことを特徴とする請求項１記載の同軸ケーブル。
【請求項３】
前記絶縁被覆層は、前記中心導体を環状に被覆する円環状部と、前記円環状部から径外方向に延びる１以上の柱状部とを備え、
前記圧縮撚り線との間に、前記柱状部で区分された中空部が形成されることを特徴とする請求項１または２記載の同軸ケーブル。
【請求項４】
前記絶縁被覆層は、中心導体の外周を被覆する内環状部と、前記内環状部から外方に延設される複数の連結部と、前記連結部の外周縁を結合させる外環状部とを備え、
前記連結部で前記内，外環状部で隔成された空隙部の周方向を区分することを特徴とする請求項１または２記載の同軸ケーブル。
【請求項５】
前記絶縁被覆層は、弗素樹脂、ポリオレフィン樹脂、ＰＥＮ（ポリエチレンナフタレート）樹脂、ＡＰＯ（環状ポリオレフィン）樹脂等の低誘電率樹脂を用いることを特徴とする請求項１〜４のいずれか１項記載の同軸ケーブル。
【請求項６】
前記絶縁被覆層は、前記柱状部の数が２〜４本で、中空率が５０％以上であることを特徴とする請求項３記載の同軸ケーブル。
【請求項７】
中心導体と、絶縁被覆層と、シールド導体とで構成する同軸ケーブルの製造方法において、
前記中心導体の外周に、合成樹脂を押出し成形して絶縁被覆層を被覆形成した絶縁被覆導体を得る工程と、
前記絶縁被覆導体を、前方に設けられた整列ガイド板を介して、シングルツイスト機などの集合撚り線機の中央部に配置導入するとともに、
複数本の素線を、前記整列ガイト板を介して、前記絶縁被覆導体の前記絶縁被覆層の外周に沿って同一円周上に均等配置した後に、
前記集合撚り線機の集線口に取り付けた圧縮ダイスを通過させながら、前記圧縮ダイスを回転することにより、相互に接触する前記素線の外周の一部同士を塑性変形させて中空状に形成した圧縮撚り線を、前記絶縁被覆導体の外側に連続的に形成して前記シールド導体を形成する工程とを備え、
前記絶縁被覆導体を集合撚り線機の中央部に配置導入する際に前記絶縁被覆層を加熱軟化させること、前記圧縮ダイスを所定温度に加熱すること、前記素線のそれぞれを所定温度に加熱すること、
の少なくともいずれか１つから選択される加熱処理をすることを特徴とする同軸ケーブルの製造方法。
【請求項８】
前記シールド導体の形成工程の後に、前記圧縮撚り線の外周に、電気絶縁性の合成樹脂にて保護被覆層を形成することを特徴とする請求項７記載の同軸ケーブルの製造方法。
【請求項９】
前記絶縁被覆導体は、前記圧縮ダイスの中央部に、当該集合撚り線機の回転方向と同方向に回転させつつ供給することを特徴とする請求項７または８記載の同軸ケーブルの製造方法。
【請求項１０】
前記絶縁被覆導体の供給は、前記集合撚り線機の回転と完全同期させることを特徴とする請求項９記載の同軸ケーブルの製造方法。
【発明の詳細な説明】
【技術分野】
【０００１】
本発明は、良好かつ安定した電気特性、高周波特性を有する同軸ケーブルおよびその製造方法に関するものである。
【背景技術】
【０００２】
情報量の増大化や高速伝送化の流れを受けて、携帯情報端末のアンテナ配線や、ＬＣＤとＣＰＵを結ぶ配線等に、最近同軸ケーブルが使われつつある。また、情報端末やノートパソコンの小型化、薄型化により、同軸ケーブルにも高性能化、細径化、低コスト化が要求されている。
【０００３】
一般に良好な高周波特性（伝送損失が小さく、遅延時間が小さい）を持つ同軸ケーブルを得るためには、中心導体と外部シールド層の間に形成される電気絶縁性の被覆層の誘電率をできるだけ小さくすることが重要である。
【０００４】
誘電率を小さくすることにより、特性インピーダンスが、例えば、５０Ω（一定値）とすると、中心導体径が同一であれば、シールド層の内径（ケーブルの外径）を小さくできることになり、シールド層の内径（ケーブルの外径）を一定にすれば、中心導体径を大きくし、電送損失を下げることが可能になる。
そのために、絶縁被覆層には、弗素樹脂やポリオレフィン樹脂などの低誘電率樹脂が用いられることが多く、また見掛けの誘電率を下げるために発泡化する場合も多い。
【０００５】
また、同軸ケーブルにおいては、シールド特性も重要であり、外部環境への影響を小さくするだけでなく、シールド効果を向上することにより伝送損失を小さくできるが、これを、単に、撚り線で構成すると、曲げた時に撚り線が開いてシールド特性が悪化する場合がある。
【０００６】
また、絶縁被覆層の誘電率を低くするため、多孔質度、発泡度を高めて、これらを高（５０％以上）くすると、絶縁被覆層の強度が低下し、撚り線や編組線で構成したシールド導体を被覆した時、簡単に変形して、その結果、特性インピーダンスが変動する。
【０００７】
このような不具合を解消する方法としては、例えば、特許文献１には、絶縁被覆層を、絶縁層とスキン層との２層構造として、絶縁層だけを発泡形の樹脂で構成した同軸ケーブルが提案されている。
【０００８】
しかしながら、この特許文献１に開示されている同軸ケーブルには、以下に説明する技術的な課題があった。
【特許文献１】特開２０００−４８６５３号公報
【発明の開示】
【発明が解決しようとする課題】
【０００９】
すなわち、特許文献１に開示されている同軸ケーブルでは、絶縁被覆層が二層構造となるため製造装置が複雑化して、コストアップを招く。また編組構造のシールド導体があるが、この構造のシールド導体は、編組加工速度が遅くコストアップになる、また、充分なシールド効果が得られないという問題があった。
【００１０】
そこで、本発明者らは、このような問題を解決するための同軸ケーブルを新たに開発し、特願２００３−３５０３７６号で既に提案している。この出願にかかる同軸ケーブルは、中心導体と、前記中心導体の外周を覆う絶縁被覆層と、前記絶縁被覆層の外周を覆うシールド導体とを備えた同軸ケーブルにおいて、前記シールド導体は、複数の素線を前記絶縁被覆層の外周に沿って配置して、相互に接触する前記素線の外周の一部同士を塑性変形させて中空状に形成した圧縮撚り線で構成したことが要旨となっている。
【００１１】
ところが、その後の検討によると、この提案にかかる同軸ケーブルには、以下に説明する技術的な課題があることが判った。先に提案した同軸ケーブルには、絶縁被覆層として、中心導体を環状に被覆する円環状部と、円環状部から径外方向に延びる３本の柱状部とを備え、圧縮撚り線との間に、柱状部で区分された中空部が形成される構造のものが含まれている。
【００１２】
このような構造の同軸ケーブルでは、特に、圧縮撚り線が、その内部に挿入されるコア（円環状部と柱状部とからなる絶縁被覆層で中心導体を被覆したもの）の寸法の影響を受け易く、例えば、３本の柱状部の外寸法が、圧縮撚り線の内径よりも大きいと、圧縮撚り線の形状が円形にならず、三角形に近くなって、特性インピーダンスが不安定になるし、極端な場合には、中空状に撚り線を形成することができない場合もある。
【００１３】
また、３本の柱状部の外寸法が、圧縮撚り線の内径よりも小さくなると、圧縮撚り線の形状は、良好に維持されるが、コアと圧縮撚り線との間の密着性を殆ど保つことができず、同軸ケーブルを端末加工するときに、コアが圧縮撚り線から抜け出して、端末加工を行うことができなかったり、又は目標寸法通りにならなかったり、あるいは、ケーブルを曲げたときに、カットした端面から、コアが飛び出すこともある。
【００１４】
このような不都合に対して、例えば、コアの外寸法を圧縮撚り線の内径との関係で、微妙にコントロールすることは、製造工程上非常に難しく、コアと圧縮撚り線との間の密着性を良好に保つことが困難な状況になっていた。
【００１５】
さらに、コアが、中心導体と、その外周に被覆形成される円形被覆層（中空でなく中実、また、発泡，多孔質でもない）とで形成されている場合には、コアの外径が圧縮撚り線の内径よりも小さいと、これらの間に隙間ができて、コアの位置が変動して高周波特性の悪化を招くし、コアの外径が圧縮撚り線の内径よりも大きいと、圧縮撚り線の圧縮率が小さくなり、圧縮撚り線でコアの外周を完全に閉塞することができず、十分なシールド効果が得られない。
【００１６】
この場合、円形被覆層が多孔質ないしは発泡形態の場合には、圧縮撚り線をコアの外周に配置する際に、被覆層を変形させることができるので、密着性をある程度改善することができるが、十分とはいえない。
【００１７】
本発明は、このような従来の問題点に鑑みてなされたものであって、その目的とするところは、良好な密着性を備えた同軸ケーブルおよびその製造方法を提供することにある。
【課題を解決するための手段】
【００１８】
上記目的を達成するために、本発明は、中心導体と、前記中心導体の外周を覆う絶縁被覆層と、前記絶縁被覆層の外周を覆うシールド導体とを備えた同軸ケーブルにおいて、前記シールド導体は、複数の素線を前記絶縁被覆層の外周に沿って配置して、相互に接触する前記素線の外周の一部同士を塑性変形させて中空状に形成した圧縮撚り線で構成され、前記絶縁被覆層は、前記シールド導体との接触部分を、当該シールド導体の内面形状に沿って密着、変形させるようにした。
【００１９】
このように構成した同軸ケーブルによれば、圧縮撚り線は、相互に接触する素線の外周の一部同士を塑性変形させて中空状に形成しており、撚り線の素線同士が石垣状に密接に接触した安定した構造（アーチ構造）を取っているため、撚り線の内部が中空になっている。
【００２０】
このような圧縮撚り線中に、その中空の内径とほぼ同一の外寸を有する中心導体を絶縁被覆層で外周を覆った絶縁被覆導体を設けることで同軸ケーブルが得られ、このような構造の同軸ケーブルは、素線同士が密に接しているため、良好なシールド特性を有すると共に、素線同士が接合しているものの一体となっていないので良好な可撓性を有する。
【００２１】
また、本発明では、絶縁被覆層は、シールド導体との接触部分を、当該シールド導体の内面形状に沿って密着、変形させているので、絶縁被覆層とシールド導体との間の密着強度が大きくなる。
【００２２】
圧縮撚り線で構成した前記シール導体の外周には、保護被覆層を設けることができ、この保護被覆層には、電気絶縁性の熱可塑性樹脂を用いることができる。
【００２３】
本発明の同軸ケーブルでは、圧縮撚り線のみで安定した中空部を形成できるため、内部に設ける絶縁被覆導体の形状は、必ずしも圧縮撚り線の素線にすべて接触する円形である必要はなく、中心導体を圧縮撚り線の中央部に位置させることができれば、その形状は任意に選択することができる。
【００２４】
それゆえ、前記絶縁被覆層は、前記中心導体を環状に被覆する円環状部と、前記円環状部から径外方向に延びる１以上の柱状部とを備え、前記圧縮撚り線との間に、前記柱状部で区分された中空部を形成することができる。
【００２５】
また、前記絶縁被覆層は、中心導体の外周を被覆する内環状部と、前記内環状部から外方に延設される複数の連結部と、前記連結部の外周縁を結合させる外環状部とを備え、前記連結部で前記内，外環状部で隔成された空隙部の周方向を区分するようにすることができる。
【００２６】
また、これ以外に、中心導体の周囲に中空パイプを撚り合わせる構造、絶縁性（多孔質）テープを巻く構造、絶縁性繊維を編み込む構造でも良い。
【００２７】
中空圧縮撚り線の素線の断面形状は、円形、矩形、台形などのものを用いることができる。円形の場合にはコスト的に有利であるが、本数が増えると中空構造を維持することが困難な場合があるが、このような場合には、矩形、台形のものを使用することが望ましい。
【００２８】
前記絶縁被覆層は、誘電率、耐熱性に優れた弗素樹脂、ポリオレフィン樹脂、ＰＥＮ（ポリエチレンナフタレート）樹脂、ＡＰＯ（環状ポリオレフィン）樹脂等の低誘電率樹脂を用いることができる。
【００２９】
前記絶縁被覆層は、特に、損失特性を低減するためには、中空部を安定して設けることが好ましく、この場合には、前述した柱状部を設ける構造が好適となる。柱状部を設ける際には、その数が２〜４本で、中空率が５０％以上であることが望ましい。
【００３０】
中空率が５０％以下だと、中空の効果が低くなる。また、柱状部の数は、１本では偏芯する場合があり、５本以上としても、偏芯防止効果は変わらず、逆に中空率が低下する。
【００３１】
また、本発明は、中心導体と、絶縁被覆層と、シールド導体とで構成する同軸ケーブルの製造方法において、前記中心導体の外周に、合成樹脂を押出し成形して絶縁被覆層を被覆形成した絶縁被覆導体を得る工程と、前記絶縁被覆導体を、前方に設けられた整列ガイド板を介して、シングルツイスト機などの集合撚り線機の中央部に配置導入するとともに、複数本の素線を、前記整列ガイト板を介して、前記絶縁被覆導体の前記絶縁被覆層の外周に沿って同一円周上に均等配置した後に、前記集合撚り線機の集線口に取り付けた圧縮ダイスを通過させながら、前記圧縮ダイスを回転することにより、相互に接触する前記素線の外周の一部同士を塑性変形させて中空状に形成した圧縮撚り線を、前記絶縁被覆導体の外側に連続的に形成して前記シールド導体を形成する工程とを備え、前記絶縁被覆導体を集合撚り線機の中央部に配置導入する際に前記絶縁被覆層を加熱軟化させること、前記圧縮ダイスを所定温度に加熱すること、前記素線のそれぞれを所定温度に加熱すること、の少なくともいずれか１つから選択される加熱処理をするようにした。
【００３２】
この製造方法では、前記シールド導体の形成工程の後に、前記圧縮撚り線の外周に、電気絶縁性の合成樹脂にて保護被覆層を形成することができる。
【００３３】
一般に、撚り線は、シングルツイスト機、ダブルツイスト機にて製造される。本発明の同軸ケーブルに用いる圧縮撚り線も同様で、撚り工程中に圧縮ダイスを入れ、中空状の圧縮撚り線を製造する。
【００３４】
そこで、まず、ダブルツイスト機を使用し、絶縁被覆導体及び圧縮撚り線用の素線を導入して同軸ケーブルを製造してみたが、絶縁被覆導体は、圧縮撚り線と共に撚られ、絶縁被覆導体には、圧縮撚り線と同様の撚りが加ることが判明した。
【００３５】
この場合、絶縁被覆導体の中心導体に撚りが加わると、中心導体が単線の場合には、うねりが発生し偏芯する現象が発生した。中心導体が撚り線の場合には、偏芯、素線のうねりと共に、素線にバラケが発生した。これらの現象は、同軸ケーブルの電気特性、高周波特性の安定性に影響する。
【００３６】
ダブルツイスト機を用いる場合には、二段で撚りが加わるが、圧縮ダイスは一段目の撚り工程に入れる必要がある。これを二段目に入れると、圧縮撚り線の素線の長さのバラツキを吸収できない為である。
【００３７】
この場合も一段目の撚り工程で、絶縁被覆導体は、圧縮撚り線に把持され、更に二段目の撚りが加わることになり、二段目の撚りで圧縮撚り線の長手方向長さが縮まるが、絶縁被覆導体は、径が小さいため差程縮まず、長さの差が生じる。この圧縮長さの相違に基づいて、絶縁被覆導体にうねりが発生し、圧縮撚り線の素線に、バラケが生じると共に、切断時に絶縁被覆導体の飛び出しが生じることになる。従って実質的にはダブルツイスト機を用いる製造方法では、ロングランの製造が困難である。
【００３８】
また、絶縁被覆層が、中心導体を環状に被覆する円環状部と、円環状部から径外方向に延びる１以上の柱状部とを備え、圧縮撚り線との間に、柱状部で区分された中空部を形成する構造の場合には、ダブルツイスト機を用いた場合には、柱状部の撚りピッチと、圧縮撚り線のピッチが一致するため、圧縮撚り線の素線の一部が、柱状部間に落ち込むという不具合が発生した。
【００３９】
ところが、上記のように構成した本発明に係る同軸ケーブルの製造方法によれば、シングルツイスト機を使用して、一段で撚るため、絶縁被覆導体と圧縮撚り線の長さの差が生じない。このため中心導体は、バラケルことがなく、絶縁被覆導体の飛び出しもなくなる。
【００４０】
また、本発明にかかる製造方法では、絶縁被覆導体を集合撚り線機の中央部に配置導入する際に絶縁被覆層を加熱軟化させること、圧縮ダイスを所定温度に加熱すること、素線のそれぞれを所定温度に加熱すること、の少なくともいずれか１つから選択される加熱処理を行うので、絶縁被覆導体を集合撚り線機の中央部に配置導入する際に絶縁被覆層を加熱軟化させる場合には、複数の素線で圧縮撚り線を絶縁被覆層に接触させて中空状に形成すると、加熱軟化された部分が素線に当接する際に一部変形して、圧縮撚り線の形状に沿ったものとなる。
【００４１】
また、圧縮ダイスを所定温度に加熱する場合には、その内部に素線を通過させるので、この際に素線が加熱されて、温度が所定の値まで上昇し、所定の温度になった素線が、絶縁被覆層に当接するので、その際に、絶縁被覆層の接触部分が一部変形して、圧縮撚り線の形状に沿ったものとなる。
【００４２】
さらに、素線のそれぞれを所定温度に加熱する場合には、圧縮ダイスを加熱する場合と同様に、所定の温度になった素線が、絶縁被覆層に当接するので、その際に、絶縁被覆層の接触部分が一部変形して、圧縮撚り線の形状に沿ったものとなる。
【００４３】
以上のようにして、加熱処理を行うと、絶縁被覆層は、シールド導体との接触部分が、当該シールド導体の内面形状に沿って密着、変形させているので、これにより、絶縁被覆層とシールド導体との間の密着強度が大きくなる。
【００４４】
前記絶縁被覆導体は、前記圧縮ダイスの中央部に、当該集合撚り線機の回転方向と同方向に回転させつつ供給することができる。
【００４５】
この構成によれば、集合撚り線機の回転方向と同方向に回転させつつ供給するので、絶縁被覆導体に撚りが入らないようにすることができるし、あるいは、入っても影響しない程度まで押さえることにより、中心導体が安定して同軸ケーブルの中央に位置するようにし、特性の安定化と向上を図ることができる。
【００４６】
また、圧縮撚り線のピッチと絶縁被覆導体の撚りピッチが異なるので、柱状部を設ける絶縁被覆層の場合に、圧縮撚り線の素線が柱状部間に落ち込むことがなくなる。
【００４７】
前記絶縁被覆導体の供給は、前記集合撚り線機の回転と完全同期させることができる。
【００４８】
この構成によれば、絶縁被覆導体に撚りが全く入らないようにすることができる。絶縁被覆導体の中心導体が単線の場合には、特に、うねりが生じやすいので完全同期回転させる必要がある。
【発明の効果】
【００４９】
本発明にかかる同軸ケーブルおよびその製造方法によれば、絶縁層とシールドの密着力が上がることにより、引き抜き強力が向上し、これに伴い端末加工性（寸法精度など）が向上する。
【００５０】
また、絶縁被覆層に残存歪みがなくなり、端末加工時やコネクタ装着時の寸法精度が向上する。
【発明を実施するための形態】
【００５１】
以下に、本発明の好適な実施形態について、実施例に基づいて詳細に説明する。
【実施例１】
【００５２】
図１は、本発明に係る同軸ケーブル１０の第１実施例を示している。同図に示した同軸ケーブル１０は、中心導体１２と、絶縁被覆層１４と、シールド導体１６と、保護被覆層１８とを備えている。
【００５３】
中心導体１２は、例えば、円形断面の撚り線（銅線）から構成されている。なお、この撚り線は、単銅線であっても良い。絶縁被覆層１４は、中心導体１２の外周を覆うように形成された電気絶縁性のものであって、本実施例の場合には、中心導体１２の外周を覆う環状部２０と、環状部２０から径外方向に、放射状に延びる３個の柱状部２２とを有している。
【００５４】
この絶縁被覆層１４は、例えば、ＰＴＦＥ、ＦＥＰ、ＰＦＡ等の弗素系樹脂、或いはＡＰＯ（アモルファスポリオレフィン）樹脂、ＰＥＮ（ポリエチレンナフタレート）等の合成樹脂を、中心導体１２の外周に押し出し成形して、環状部２０と柱状部２２とを同時に一体形成することができる。
【００５５】
本実施例の場合、絶縁被覆層１４は、中心から外方に延びる３個の柱状部２２を有していて、各柱状部２２は、その横断面形状は、先端側が先細状になった略三角形状に形成されている。
【００５６】
各柱状部２２は、横断面内において等角度間隔（１２０°）で放射状に伸びており、同軸ケーブル１０の長手軸方向に沿って、この間隔を維持しながら、直線状に延設されている。
【００５７】
シールド導体１６は、絶縁被覆層１４の柱状部２２の外周に接するようにして設けられていて、シールド導体１６の内部には、柱状部２２で周方向に区画され、同軸ケーブル１０の長手方向に連続した３個の空隙部２４が設けられている。
【００５８】
この場合、空隙部２４は、中心導体１２を中心として、３個が周方向に均等配置されており、横断面において、中心導体１２とシールド導体１６を除いた部分の面積に対し、面積比で５０％以上を占めるようにすることが望ましい。
【００５９】
シールド導体１６は、本実施例の場合、中空状の圧縮撚り線により形成されている。このような圧縮撚り線は、複数本の円形断面の素線２６を同一円周上に配置し、各素線２６を一方向に撚り掛けながら圧縮ダイスを通過させることにより中空形状に形成される。
【００６０】
この際に、素線２６は、相互に接触している外周の一部同士が、塑性変形されて、撚りが加えられるので、石垣状に密接触して安定した構造（アーチ構造）になり、その形状が崩れることなく維持される。
【００６１】
本実施例の場合、絶縁被覆層１４は、シールド導体１６との接触部分が、当該シールド導体１６の内面形状に沿って密着する変形部２８となっている。この変形部２８は、具体的には、絶縁被覆層１４の柱状部２２の先端に形成され、本実施例の場合には、シールド導体１６の各素線２６との接触部分が、素線２６の内面に沿って変形して、面同士が密着した形態になっている。
【００６２】
このような変形部２８は、後述する具体例に詳述されているように、絶縁被覆導体を集合撚り線機の中央部に配置導入する際に絶縁被覆層１４を加熱軟化させること、圧縮ダイスを所定温度に加熱すること、素線２６のそれぞれを所定温度に加熱すること、の少なくともいずれか１つから選択される加熱処理により実現される。
【００６３】
保護被覆層１８は、シールド導体１６の外周を覆うようにして設けられているが、この保護被覆層１８は、必ずしも設ける必要はないが、これを設ける場合には、絶縁被覆層１６と同様に、例えば、ＦＥＰ、ＰＦＡ等の弗素系樹脂、或いはアモルファスポリオレフィン樹脂、ＰＥＮ（ポリエチレンナフタレート）等の合成樹脂を、シールド導体１６の外周に押し出し成形して、形成することができる。なお、本実施例の同軸ケーブル１０は、最外径を１ｍｍ以下とすることができる。
【００６４】
以上のように構成した同軸ケーブル１０によれば、シールド導体１６の内部に、長手方向に連続した３個の空隙部２４を設けているので、中心導体１２とシールド導体１６の間の誘電率（等価誘電率）を小さくすることができる。
【００６５】
また、本実施例の同軸ケーブル１０は、シールド導体１６は、圧縮撚り線で構成しており、この撚り線は、素線２６同士が密接に接しているため、良好なシールド特性を有すると共に、素線２６同士は接合しているが一体となっていないので良好な可撓性を有している。
【００６６】
また、本実施例の場合には、絶縁被覆層１４は、シールド導体１６との接触部分を、当該シールド導体１６の内面形状に沿って密着させる変形部２８となっているので、絶縁被覆層１４とシールド導体１６との間の密着強度が大きくなる。
【実施例２】
【００６７】
図２は、本発明にかかる同軸ケーブルの実施例２を示しており、上記実施例と同一若しくは相当する部分には、同一符号を付してその説明を省略するとともに、以下にその特徴点についてのみ説明する。
【００６８】
同図に示した同軸ケーブル１０ａは、実施例１と同様に、中心導体１２ａと、絶縁被覆層１４ａと、シールド導体１６ａとを備えている。本実施例の場合、中心導体１２ａ、シールド導体１６ａは、実施例１と実質的に同一であって、特に、シールド導体１６ａは、実施例１と同様に、複数の素線２６ａからなる圧縮撚り線で構成され、各素線２６ａは、相互に接触している外周の一部同士が、塑性変形されて、撚りが加えられて、石垣状に密接触して安定した構造（アーチ構造）になっている。
【００６９】
絶縁被覆層１４ａは、中心導体１２ａの外周を覆うように形成された電気絶縁性のものであって、例えば、ＰＴＦＥ、ＦＥＰ、ＰＦＡ等の弗素系樹脂、或いはＡＰＯ（アモルファスポリオレフィン）樹脂、ＰＥＮ（ポリエチレンナフタレート）等の合成樹脂を、中心導体１２ａの外周に、円環状に押し出し成形している。
【００７０】
本実施例の場合、絶縁被覆層１４ａは、シールド導体１６ａとの接触部分が、当該シールド導体１６ａの内面形状に沿って密着する変形部２８ａとなっている。この変形部２８ａは、具体的には、絶縁被覆層１４ａの外周縁に形成され、本実施例の場合には、シールド導体１６ａの各素線２６ａとの接触部分が、素線２６ａの内面に沿って凹状に変形して、面同士が密着した形態になっている。
【００７１】
このように構成した同軸ケーブル１０ａでも、シールド導体１６ａは、圧縮撚り線で構成しており、この撚り線は、素線２６ａ同士が密接に接しているため、良好なシールド特性を有すると共に、素線２６ａ同士は接合しているが一体となっていないので良好な可撓性を有している。また、上記実施例と同様に、絶縁被覆層１４ａとシールド導体１６ａとの間の密着強度が大きくなる。
【実施例３】
【００７２】
図３は、本発明にかかる同軸ケーブルの実施例３を示しており、上記実施例と同一若しくは相当する部分には、同一符号を付してその説明を省略するとともに、以下にその特徴点についてのみ説明する。
【００７３】
同図に示した同軸ケーブル１０ｂは、実施例１と同様に、中心導体１２ｂと、絶縁被覆層１４ｂと、シールド導体１６ｂとを備えている。本実施例の場合、中心導体１２ｂ、シールド導体１６ｂは、実施例１と実質的に同一であって、特に、シールド導体１６ｂは、実施例１と同様に、複数の素線２６ｂからなる圧縮撚り線で構成され、各素線２６ｂは、相互に接触している外周の一部同士が、塑性変形されて、撚りが加えられて、石垣状に密接触して安定した構造（アーチ構造）になっている。
【００７４】
絶縁被覆層１４ｂは、実施例１と同様に合成樹脂の押出し成形により形成され、中心導体１２ｂの外周を被覆する内環状部１４０ｂと、内環状部１４０ｂから外方に延設される複数の連結部１４１ｂと、連結部１４１ｂの外周縁を結合させる外環状部１４２ｂとを備え、連結部１４２ｂで内，外環状部１４０ｂ，１４２ｂで隔成された空隙部２４ｂの周方向を区分するように構成している。
【００７５】
連結部１４１ｂは、本実施例の場合、３個から構成され、３個の連結部１４１ｂは、中心から等角度間隔で外方に向けて放射状に延設されている。
【００７６】
本実施例の場合、絶縁被覆層１４ｂは、シールド導体１６ｂとの接触部分が、当該シールド導体１６ｂの内面形状に沿って密着する変形部２８ｂとなっている。この変形部２８ｂは、具体的には、絶縁被覆層１４ｂの外環状部１４２ｂの外周縁に形成され、本実施例の場合には、シールド導体１６ｂの各素線２６ｂとの接触部分が、素線２６ｂの内面に沿って凹状に変形して、面同士が密着した形態になっている。
【００７７】
このように構成された実施例３では、実施例１と同等の作用効果が得られる。
次に、本発明にかかる同軸ケーブルの製造方法に関して、具体的な実施例に基づいて説明する。
【具体例１】
【００７８】
図１に示した実施例１の同軸ケーブル１０の製造方法
以下に説明する製造方法では、図１に示した断面形状の同軸ケーブル１０を製造する際の具体例であり、この製造方法では、まず、図４に示す断面形状の絶縁被覆導体３０が作製される。
【００７９】
この絶縁被覆導体３０は、０．０６５ｍｍの銀メッキ銅線を７本撚り合わせた撚り線を中心導体１２とし、これを、クロスヘッドダイに導き、絶縁被覆導体３０と相似形状の貫通孔を備えたノズルに通過させ、引き取り速度１１ｍ／ｍｉｎの速度で引き取りながら３５０℃の押出温度にて、四フッ化エチレン−パーフルオロビニルエーテル共重合体（以下、ＰＦＡ樹脂と略す）（ＡＰ−２０１：商品名，ダイキン工業製、比誘電率２．１）を押出し被覆して、絶縁被覆層１４を形成したものである。この場合、各柱状部２２の先端を結ぶ仮想外接円の大きさは、０．４８５ｍｍであった。この場合、この仮想外接円の大きさは、圧縮撚り線で形成するシールド導体１６の内接円よりも若干大きくなるように設定することが望ましい。
【００８０】
次に、圧縮撚り線によるシールド導体１６の形成加工を、シングルツイストタイプの集合撚り線機３４と回転供給装置３６を使用して行った。図５は、この際の加工の状態を示した説明図である。
【００８１】
集合撚り線機３４は、先端の集線口に圧縮ダイス３６が設けられた旋回部３８と、巻取りボビン４０と、巻取りボビン４０のトラバース機構部４２とを備え、圧縮ダイス３６の前方には、整列ガイド板４４が設けられている。
【００８２】
整列ガイド板４４には、中心に絶縁被覆導体３０の挿通孔４４ａが貫通形成され、その周辺に素線２６の挿通孔４４ｂが複数貫通形成されている。また、この整列ガイド板４４の前方には、撚り戻し機４６が設置され、この撚り戻し機４６には、絶縁被覆導体３０が捲回されたコアボビン３２が装着されている。
【００８３】
圧縮撚り線を絶縁被覆導体３０の外周に形成する際には、図５に示すように、コアボビン３２から巻き戻した絶縁被覆導体３０を、整列ガイド板４４を介して、圧縮ダイス３６の中心に挿通させて、先端を巻取りボビン４０に固定する。
【００８４】
これとともに、複数の素線２６を、整列ガイド板４４を介して、圧縮ダイス３６の外周に挿入する。そして、この状態で、集合撚り線機３４を駆動させて、旋回部３８を所定の方向に旋回させる。
【００８５】
この際に、絶縁被覆導体３０は、７００ｒｐｍの回転数で、旋回部３８の旋回方向（撚り方向）と同一方向に、撚り戻し機４６で回転させながら、整列ガイド板４４の中央部に供給する。
【００８６】
また、絶縁被覆導体３０は、整列ガイド板４４の後方で、加熱装置５０に挿通し、２５０℃の温度で加熱して、加熱軟化させる。図６は、この際に用いる加熱装置５０の詳細図である。
【００８７】
同図に示した加熱装置５０は、熱風式のものであって、絶縁被覆導体３０が挿通される両端が開口した金属パイプ５１と、金属パイプ５１の一端側の外周を覆う円筒状の加熱筒５２と、加熱筒５２の一端に設けられた熱風発生器５４とを備えている。
【００８８】
金属パイプ５１は、加熱筒５２の一端から、全長の概略半分が外方に突出していて、加熱筒５２の先端側は、金属パイプ５１の外周面に固設されている。加熱筒５２の後端側は、平坦な面となっていて、その中心軸上に絶縁被覆導体３０の挿入孔５５が貫通形成されている。
【００８９】
この挿入孔５５は、金属パイプ５１の中心軸と同軸上にあって、金属パイプ５１の後端側の開口が、挿通孔５５の近傍に配置されている。このように構成した加熱装置５０では、熱風発生器５４から熱風Ｗを加熱筒５２内に吐出させると、熱風Ｗは、金属パイプ５１の後端側の開口からその内部に入り込んで、金属パイプ５１の先端側の開口から外部に排出される。
【００９０】
この際に、金属パイプ５１内には、挿通孔５５を介して、絶縁被覆導体３０が挿通されるので、導体３０は、金属パイプ５１内に熱風Ｗと共に所定速度で移動し、この移動の過程で所定温度、例えば、絶縁被覆層１４の形成樹脂の融点未満で、かつ、軟化点以上の温度、例えば、２５０℃の温度で加熱され、圧縮ダイス３６に供給される。
【００９１】
一方、素線２６は、外径０．１１７ｍｍ銀メッキ銅線を１７本使用し、これを整列ガイド板４４の外周部に円環状に配列する。そして、これらを、φ０．７０１ｍｍの圧縮ダイス３６を通過させて圧縮させつつ、Ｐｔ６．２ｍｍ（７００ｒｐｍ）で撚りながら、外径０．７０ｍｍ、内径０．４８０ｍｍの圧縮撚り線でシールド導体１６を形成した。巻取りボビン４０の巻取り速度は、毎分４．４ｍとした。
【００９２】
圧縮ダイス３６は、入り口から奥側にテーパーが設けられていて、その内部に挿入された素線２６は、奥側に移動するに従って、周方向に配列された素線２６同士が、密接して、徐々に塑性変形して、相互に密着するとともに、この状態で旋回部３８を旋回させることで、撚りが加えられ、このような形態が連続して形成される。
【００９３】
次に、得られた中間体をクロスヘッドダイに導き、引き取り速度１１ｍ／ｍｉｎの速度で引き取りながら、直径が３φの丸ダイスにてＰＦＥ樹脂（ＡＰ−２０１：商品名，ダイキン工業製）を厚み０．０５ｍｍで被覆して保護被覆層１８を形成し、図１に示す最終外径０．８０ｍｍの同軸ケーブル１０を得た。
【００９４】
得られた同軸ケーブル１０をカットして、その端面を観察した結果絶縁層の飛び出しはなく、更にシールドを除去し、コア（絶縁層１４＋中心導体１２）の撚りピッチを調べたところ６．５ｍｍと製造段階で設定したセットピッチと同一であり、残存歪みが残っていないことが分かった。
【００９５】
また、同ケーブル１０を１０ｃｍにカットして、絶縁被覆層１４のシールド導体１６に対する引き抜き強力を測定した結果、５０６ｇであった。図６にこの際に用いた測定治具を示している。測定方法は、１０ｃｍのケーブル１０の両端を端末加工して、片端をポリエチレン板製の把持部で固めて、試験用サンプルを作成し、把持板と中心導体１２とを挟んで、ケーブル１０の両端側に引張り、両者が分離するまでの力を測定した。
【００９６】
その際の引張速度は、５ｍｍ／ｍｉｎとした。また、絶縁被覆層１４の柱状部２２の先端には、銅線（素線２６）を押しつけられたことによる、圧迫跡が存在していた。このケーブルを端末加工機（シュロニガー社製：型番ＭＣ２５２）にてシールド層、絶縁被覆層、中心導体、それぞれ設定１ｍｍの長さで設定し加工を行った所、設定通りの寸法で加工を行うことが出来た。
【具体例２】
【００９７】
図１に示した実施例１の同軸ケーブル１０の製造方法
具体例１と同様な方法により、柱状部２２の先端を結ぶ仮想外接円の大きさが、０．４８５ｍｍの絶縁被覆導体３０を形成した。次いで、具体例１と同様に、図５に示した、シングルツイストタイプの集合撚り線機３４と回転供給装置３６を使用して、圧縮撚り線によるシールド導体１６の形成加工を行った。
【００９８】
この際には、径が０．７０１ｍｍの圧縮ダイス３６を、５５０℃に加熱した上に、絶縁被覆導体３０を、具体例１と同様に、２５０℃に温度設定した加熱装置５０により加熱した。この際の引取速度は、４ｍ／ｍｉｎとし、シールド導体１６の加熱圧縮成型を圧縮率７０％で行い、外径が０．７０ｍｍ、内怪が０．４８０ｍｍのシールド導体１６を形成した。
【００９９】
次に得られた中間体をクロスヘッドダイスに導き、引き取り速度１１ｍ／ｍｉｎの速度で引き取りながらＰＦＡ樹脂（ＡＰ−２０１：ダイキン工業製）を樹脂厚み０．０５ｍｍで保護被覆層１８を成形し、最終外径０．８０ｍｍの同軸ケーブル１０を得た。
【０１００】
同ケーブル１０をカットしてその端面を観察した結果絶縁層の飛び出しの発生はなかった。得られたケーブル１０を１０ｃｍにカットして絶縁層の外部導体に対する引き抜き強力を測定した結果、５１０ｇであった。更にシールド導体１６を除去し、コア（絶縁被覆層１４＋中心導体１２）の撚りピッチを調べたところ６．５ｍｍと製造段階で設定したセットピッチと同一であり、残存歪みが残っていないことが分かった。絶縁被覆層１４の柱状部２２の先端には、加熱された銅線（素線２６）が押しつけられたことによる、圧迫跡（溶融へこみの跡）が存在していた。
【０１０１】
このケーブルを端末加工機（シュロニガー社製：型番ＭＣ２５２）にてシールド層、絶縁被覆層、中心導体、それぞれ設定１ｍｍの長さで設定し加工を行った所、設定通りの寸法で加工を行うことが出来た。
【具体例３】
【０１０２】
図１に示した実施例１の同軸ケーブル１０の製造方法
具体例２と同様な方法により、柱状部２２の先端を結ぶ仮想外接円の大きさが、０．４８５ｍｍの絶縁被覆導体３０を形成した。次いで、具体例１と同様に、図５に示した、シングルツイストタイプの集合撚り線機３４と回転供給装置３６を使用して、圧縮撚り線によるシールド導体１６の形成加工を行った。
【０１０３】
この際には、１７本の銀メッキ銅線（素線２６）を、４５０℃に加熱した上に、径が０．７０１ｍｍの圧縮ダイス３６に供給した。なお、この場合、加熱装置５０は、撤去した。この際の引取速度は、４ｍ／ｍｉｎとし、シールド導体１６の圧縮成型を圧縮率７０％で行い、外径が０．７０ｍｍ、内怪が０．４８０ｍｍのシールド導体１６を形成した。
【０１０４】
次に得られた中間体をクロスヘッドダイスに導き、具体例２と同様な方法で保護被覆層１８を成形し、最終外径０．８０ｍｍの同軸ケーブル１０を得た。
【０１０５】
同ケーブル１０をカットしてその端面を観察した結果絶縁層の飛び出しの発生はなかった。得られたケーブル１０を１０ｃｍにカットして絶縁層の外部導体に対する引き抜き強力を測定した結果、５４０ｇであった。更にシールド導体１６を除去し、コア（絶縁被覆層１４＋中心導体１２）の撚りピッチを調べたところ６．５ｍｍと製造段階で設定したセットピッチと同一であり、残存歪みが残っていないことが分かった。絶縁被覆層１４の柱状部２２の先端には、加熱された銅線（素線２６）が押しつけられたことによる、圧迫跡（溶融へこみの跡）が存在していた。
【０１０６】
このケーブルを端末加工機（シュロニガー社製：型番ＭＣ２５２）にてシールド層、絶縁被覆層、中心導体、それぞれ設定１ｍｍの長さで設定し加工を行った所、設定通りの寸法で加工を行うことが出来た。
【比較例１】
【０１０７】
７／０．０６５ｍｍの中心導体をクロスヘッドダイスに導き、具体例１と同様な形状のノズルに通過させ、引き取り速度１１ｍ／ｍｉｎの速度で引き取りながら３５０℃の押出温度にてＰＦＡ樹脂（ＡＰ−２０１）の押出絶縁層被覆を行い、図４に示すような絶縁被覆導体３０を得た。この絶縁被覆導体３０の各柱状部２２の頂点を通る仮想外接円の大きさは０．４７０ｍｍであった。
【０１０８】
次に得られた絶縁被覆導体３０に、図５に示した装置を用いて、０．１１７ｍｍの錫メッキ銅線１７本を絶縁被覆導体３０の円周上に配置し、更に径０．７０１ｍｍの圧縮ダイス３６に引き取り速度４ｍ／ｍｉｎで引き取りながら、シールド導体１６の圧縮成型を圧縮率７．０％で行い、外部導体径０．７０ｍｍ、外部導体内径０．４８０ｍｍのケーブル中間体を得た。
【０１０９】
次に得られたケーブル中間体をクロスヘッドダイスに導き、引き取り速度１１ｍ／ｍｉｎの速度で引き取りながらＰＦＡ樹脂（ＡＰ−２０１）を樹脂厚み０．０５ｍｍで保護被覆を成形し、最終外径０．８０ｍｍの同軸ケーブルを得た。
【０１１０】
同ケーブルをカットしてその端面を観察した結果、絶縁被覆層は、シールド端面から０．５ｍｍ飛び出しが発生した。得られたケーブルを１０ｃｍにカットして絶縁被覆層のシールド導体に対する引き抜き強力を測定した結果、２５ｇと低い値であった。更にシールド導体を除去し、コア（絶縁被覆層＋中心導体）の撚りピッチを調べたところ７．２ｍｍと製造段階で設定したセットピッチ６．５ｍｍより長くなっており、残存歪みが残っていることが判明した。絶縁被覆層の柱状部の先端には、銅線（素線）を押しつけられた跡は存在しなかった。  
【０１１１】
このケーブルを端末加工機（シュロニガー社製：型番ＭＣ２５２）にてシールド層、絶縁被覆層、中心導体、それぞれ設定１ｍｍの長さで設定し加工を行った所、絶縁被覆層部が１．８ｍｍと、コアがシールドより引き抜かれ、大きく寸法がずれていた。
【比較例２】
【０１１２】
具体例２と同じ製造方法で得た絶縁被覆導体に、具体例２と、圧縮ダイスによる加熱、加熱槽による加熱をしなかった以外は同じ条件にて外部導体（シールド）の圧縮成型を行った。この場合、絶縁被覆層の各柱状部の頂点を通る外接円が、シールド導体の内径（圧縮撚り線の仮想内接円）より大きくなっていたため、撚り行程直後に圧縮撚り線の形状が崩れるトラブルが発生し、ケーブルが得られなかった。
【産業上の利用可能性】
【０１１３】
本発明にかかる同軸ケーブルおよびその製造方法は、密着性に優れた同軸ケーブルがコストアップを来たすことなく得られ、携帯用端末の配線などに有効に活用することができる。
【図面の簡単な説明】
【０１１４】
【図１】本発明にかかる同軸ケーブルの実施例１を示す断面図である。
【図２】本発明にかかる同軸ケーブルの実施例２を示す断面図である。
【図３】本発明にかかる同軸ケーブルの実施例３を示す断面図である。
【図４】本発明にかかる同軸ケーブルの製造方法で用いる絶縁被覆導体の一例を示す断面図である。
【図５】本発明にかかる同軸ケーブルの製造方法で用いるシングルツイストタイプの集合撚り線機の説明図である。
【図６】図５に示した集合撚り線機に用いる加熱装置の一例を示す説明図である。
【図７】本発明にかかる同軸ケーブルの引き抜き強力の測定方法の説明図である。
【符号の説明】
【０１１５】
１０，１０ａ，１０ｂ        同軸ケーブル
１２，１２ａ，１２ｂ        中心導体
１４，１４ａ，１４ｂ        絶縁被覆層
１６，１６ａ，１６ｂ        シールド導体
１８                        保護被覆層
２８                        変形部
【図１】
2005276785.tif 000003
【図２】
2005276785.tif 000004
【図３】
2005276785.tif 000005
【図４】
2005276785.tif 000006
【図５】
2005276785.tif 000007
【図６】
2005276785.tif 000008
【図７】
2005276785.tif 000009